(57)【要約】      （修正有）【課題】表示部に表示されるキーボードを用いた操作を行うユーザーの手間を軽減可能な表示入力装置、画像処理装置、及び表示入力方法を提供する。【解決手段】表示入力装置は、表示部及び表示部への操作を検出可能な操作検出部を含む操作表示部と、表示部に操作アイコン操作アイコンＡ１１〜Ａ３２を表示させる第１表示処理部と、予め定められた呼出操作が行われた場合に表示部にキーボードＫ２０を表示させる第２表示処理部と、第２表示処理部によりキーボードＫ２０が表示される場合に、キーボードＫ２０の操作を伴う設定操作を開始する際に操作される予め定められた特定アイコンのうち呼出操作が行われたときに第１表示処理部によって表示部に表示されていない未表示特定アイコンＡ２６を表示させる第３表示処理部と、を備える。【選択図】図８
2017102750.tif 000002
【特許請求の範囲】
【請求項１】
表示部及び前記表示部への操作を検出可能な操作検出部を含む操作表示部と、
前記表示部に操作アイコンを表示させる第１表示処理部と、
予め定められた呼出操作が行われた場合に前記表示部にキーボードを表示させる第２表示処理部と、
前記第２表示処理部により前記キーボードが表示される場合に、前記キーボードの操作を伴う設定操作を開始する際に操作される予め定められた特定アイコンのうち前記呼出操作が行われたときに前記第１表示処理部によって前記表示部に表示されていない未表示特定アイコンを表示させる第３表示処理部と、
を備える表示入力装置。
【請求項２】
前記第３表示処理部が、前記呼出操作が行われたときに前記第１表示処理部によって前記表示部に表示されている前記操作アイコンのうち前記特定アイコンとは異なる前記操作アイコンに替えて前記未表示特定アイコンを表示させる請求項１に記載の表示入力装置。
【請求項３】
前記操作アイコンごとの操作回数をカウントするカウント処理部を更に備え、
前記第３表示処理部が、前記カウント処理部によりカウントされる操作回数の少ない順で選択された一又は複数の前記操作アイコンに替えて前記未表示特定アイコンを表示させる請求項２に記載の表示入力装置。
【請求項４】
前記第３表示処理部が、予め定められた表示終了操作が行われた場合に、前記第２表示処理部による前記キーボードの表示を終了させると共に前記表示部の表示を前記キーボード及び前記未表示特定アイコンが表示される前の状態に戻す処理を実行する請求項１〜３のいずれかに記載の表示入力装置。
【請求項５】
請求項１〜４のいずれかに記載の表示入力装置と、
原稿から画像データを読取可能な画像読取部、及び画像データに基づいて画像を形成可能な画像形成部のいずれか一方又は両方と、を備え、
前記操作アイコンが、前記画像読取部及び前記画像形成部のいずれか一方又は両方によって実行される処理の内容の設定に用いられるアイコンである画像処理装置。
【請求項６】
表示部及び前記表示部への操作を検出可能な操作検出部を含む操作表示部を備える表示入力装置で実行される表示入力方法であって、
前記表示部に操作アイコンを表示させる第１ステップと、
予め定められた呼出操作が行われた場合に前記表示部にキーボードを表示させる第２ステップと、
前記第２ステップにより前記キーボードが表示される場合に、前記キーボードの操作を伴う設定操作を開始する際に操作される予め定められた特定アイコンのうち前記呼出操作が行われたときに前記第１ステップによって前記表示部に表示されていない未表示特定アイコンを表示させる第３ステップと、
を含む表示入力方法。
【発明の詳細な説明】
【技術分野】
【０００１】
本発明は、表示入力装置、表示入力装置を備える画像処理装置、及び表示入力装置で実行される表示入力方法に関する。
【背景技術】
【０００２】
プリンターのような画像処理装置は、表示部及び前記表示部への操作を検出可能な操作検出部を含む操作表示部を備えることがある。例えば、この種の画像処理装置では、前記表示部に前記画像処理装置の機能各々に対応する複数の操作アイコンが表示される。前記画像処理装置では、前記表示部に表示される前記操作アイコンが操作されて、前記画像処理装置の機能の設定が行われる。
【０００３】
また、前記画像処理装置では、前記表示部にテンキーのようなキーボードが表示されることがある（例えば、特許文献１参照）。例えば、前記キーボードは、前記画像処理装置において数字情報の入力を伴う設定が行われる場合に、ユーザーの呼出操作に応じて前記表示部に表示される。
【先行技術文献】
【特許文献】
【０００４】
【特許文献１】特開２０１１−１２４６８８号公報
【発明の概要】
【発明が解決しようとする課題】
【０００５】
ところで、ユーザーが前記表示部に表示される前記キーボードを用いて前記画像処理装置の機能の設定を行う際に、前記表示部に操作対象となる前記操作アイコンが表示されていないことがある。この場合、ユーザーは、操作対象となる前記操作アイコンを前記表示部に呼び出すために、前記表示部に表示される前記操作アイコンを切り替える操作を行うと共に、前記呼出操作を行う必要がある。
【０００６】
本発明の目的は、表示部に表示されるキーボードを用いた操作を行うユーザーの手間を軽減可能な表示入力装置、画像処理装置、及び表示入力方法を提供することにある。
【０００７】
本発明の一の局面に係る表示入力装置は、操作表示部と、第１表示処理部と、第２表示処理部と、第３表示処理部とを備える。前記操作表示部は、表示部及び前記表示部への操作を検出可能な操作検出部を含む。前記第１表示処理部は、前記表示部に操作アイコンを表示させる。前記第２表示処理部は、予め定められた呼出操作が行われた場合に前記表示部にキーボードを表示させる。前記第３表示処理部は、前記第２表示処理部により前記キーボードが表示される場合に、前記キーボードの操作を伴う設定操作を開始する際に操作される予め定められた特定アイコンのうち前記呼出操作が行われたときに前記第１表示処理部によって前記表示部に表示されていない未表示特定アイコンを表示させる。
【０００８】
本発明の他の局面に係る画像処理装置は、表示入力装置と、画像読取部及び画像形成部のいずれか一方又は両方と、を備える。前記画像読取部は、原稿から画像データを読取可能である。前記画像形成部は、画像データに基づいて画像を形成可能である。前記表示入力装置は、操作表示部と、第１表示処理部と、第２表示処理部と、第３表示処理部とを備える。前記操作表示部は、表示部及び前記表示部への操作を検出可能な操作検出部を含む。前記第１表示処理部は、前記表示部に操作アイコンを表示させる。前記操作アイコンは、前記画像読取部及び前記画像形成部のいずれか一方又は両方によって実行される処理の内容の設定に用いられる。前記第２表示処理部は、予め定められた呼出操作が行われた場合に前記表示部にキーボードを表示させる。前記第３表示処理部は、前記第２表示処理部により前記キーボードが表示される場合に、前記キーボードの操作を伴う設定操作を開始する際に操作される予め定められた特定アイコンのうち前記呼出操作が行われたときに前記第１表示処理部によって前記表示部に表示されていない未表示特定アイコンを表示させる。
【０００９】
本発明の他の局面に係る表示入力方法は、表示部及び前記表示部への操作を検出可能な操作検出部を含む操作表示部を備える表示入力装置で実行され、以下の第１ステップ、第２ステップ、及び第３ステップを含む。前記第１ステップでは、前記表示部に操作アイコンが表示される。前記第２ステップでは、予め定められた呼出操作が行われた場合に前記表示部にキーボードが表示される。前記第３ステップでは、前記第２ステップにより前記キーボードが表示される場合に、前記キーボードの操作を伴う設定操作を開始する際に操作される予め定められた特定アイコンのうち前記呼出操作が行われたときに前記第１ステップによって前記表示部に表示されていない未表示特定アイコンが表示される。
【発明の効果】
【００１０】
本発明によれば、表示部に表示されるキーボードを用いた操作を行うユーザーの手間を軽減可能な表示入力装置、画像処理装置、及び表示入力方法が実現される。
【図面の簡単な説明】
【００１１】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の操作表示部の構成を示す図である。
【図４】図４は、本発明の実施形態に係る画像処理装置の表示部に表示される操作画面の一例を示す図である。
【図５】図５は、本発明の実施形態に係る画像処理装置の表示部に表示される操作画面の一例を示す図である。
【図６】図６は、本発明の実施形態に係る画像処理装置の表示部に表示される操作画面の一例を示す図である。
【図７】図７は、本発明の実施形態に係る画像処理装置で実行される操作画面表示処理の一例を示すフローチャートである。
【図８】図８は、本発明の実施形態に係る画像処理装置の表示部に表示される操作画面及びキーボードの一例を示す図である。
【図９】図９は、本発明の実施形態に係る画像処理装置の表示部に表示される操作画面及びキーボードの一例を示す図である。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［画像処理装置１０の概略構成］
まず、図１〜図３を参照しつつ、本発明の実施形態に係る画像処理装置１０の概略構成について説明する。ここで、図１は画像処理装置１０の構成を示す断面模式図である。また、図３は操作表示部６の構成を示す平面模式図である。
【００１４】
画像処理装置１０は、原稿から画像データを読み取るスキャン機能、及び画像データに基づいて画像を形成するプリント機能と共に、ファクシミリ機能、及びコピー機能などの複数の機能を有する複合機である。また、本発明は、スキャナー装置、プリンター装置、ファクシミリ装置、及びコピー機などの画像処理装置に適用可能である。
【００１５】
図１及び図２に示すように、画像処理装置１０は、ＡＤＦ１、画像読取部２、画像形成部３、給紙部４、制御部５、及び操作表示部６を備える。
【００１６】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１７】
画像形成部３は、画像読取部２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。給紙部４は、画像形成部３にシートを供給する。画像形成部３では、給紙部４から供給されるシートにカラー又はモノクロの画像が形成されて、画像形成後の前記シートが前記排紙トレイに排出される。なお、画像形成部３は、インクジェット方式などの他の画像形成方式により画像を形成するものであってもよい。
【００１８】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１９】
操作表示部６は、画像処理装置１０におけるユーザーインターフェイスである。図２及び図３に示すように、操作表示部６は、表示部６１、操作検出部６２、及びハードキー６３を備える。
【００２０】
表示部６１は、制御部５からの制御指示に応じて各種の情報を表示する。例えば、表示部６１は液晶ディスプレーである。
【００２１】
操作検出部６２は、表示部６１へのユーザーの操作を検出することが可能な所謂タッチパネルである。例えば、操作検出部６２は、抵抗膜方式によりユーザーの指などの物体が表示部６１に接触した場合における前記物体と表示部６１との接触位置を検出する。なお、操作検出部６２は、静電容量方式など、他の検出方式を用いて前記物体と表示部６１との接触を検出してもよい。
【００２２】
ハードキー６３は、ユーザーの操作に応じて制御部５に各種の情報を入力する。例えば、図３に示すように、ハードキー６３は、電源キー６３１、スタートキー６３２、及び呼出キー６３３を含む。
【００２３】
電源キー６３１は、画像処理装置１０の各部への給電の制御に用いられる。例えば、画像処理装置１０では、電源キー６３１の操作により、画像処理装置１０の動作モードが通常モード及び省エネモードの間で切り替えられる。例えば、画像処理装置１０では、電源キー６３１の操作により前記動作モードが前記省エネモードから前記通常モードに切り替えられると共に、表示部６１にコピー機能、プリント機能、スキャン機能、及びファクシミリ機能などの画像処理装置１０の機能を選択可能な初期画面が表示される。
【００２４】
スタートキー６３２は、制御部５へのジョブの実行指示の入力に用いられる。例えば、画像処理装置１０では、前記初期画面でコピー機能を選択するユーザーの操作が行われた後にスタートキー６３２が操作されると、ＡＤＦ１の前記原稿セット部又は画像読取部２の前記原稿台に載置された原稿を印刷するコピージョブが実行される。
【００２５】
呼出キー６３３は、表示部６１にキーボードを表示させる。例えば、前記キーボードは文字、数字、及び記号のいずれか一つ又は複数の入力に用いられるテンキーである。
【００２６】
表示部６１には、複数の操作アイコンが配置された操作画面が表示される。例えば、前記操作アイコンは、前記コピージョブ、プリントジョブ、スキャンジョブ、ファクシミリジョブなどの画像読取部２及び画像形成部３のいずれか一方又は両方によって実行される処理の内容の設定に用いられるアイコンである。画像処理装置１０では、前記操作画面に配置された前記操作アイコンが操作されて、画像処理装置１０の機能の設定が行われる。
【００２７】
図４に、表示部６１に表示される前記操作画面の一例を示す。図４に示される操作画面Ｇ１０は、画像処理装置１０で実行される前記コピージョブに関する機能各々の設定に用いられる画面である。例えば、操作画面Ｇ１０は、前記初期画面でコピー機能を選択するユーザーの操作が行われた場合に表示される。
【００２８】
図４に示されるように、操作画面Ｇ１０は、メッセージ表示欄Ｒ１１、印刷部数入力欄Ｒ１２、プレビュー表示欄Ｒ１３、操作アイコン表示欄Ｒ１４、プレビュー表示キーＫ１１、及び表示切替タブＴ１１〜Ｔ１６を含む。
【００２９】
メッセージ表示欄Ｒ１１には、ユーザーへのメッセージが表示される。印刷部数入力欄Ｒ１２では、前記コピージョブで印刷される印刷物の部数を入力することが可能である。プレビュー表示欄Ｒ１３には、前記コピージョブで印刷される画像のプレビュー画像が表示される。プレビュー表示キーＫ１１は、プレビュー表示欄Ｒ１３へのプレビュー画像の表示に用いられる。操作アイコン表示欄Ｒ１４には、前記操作アイコンが配置される。図４に示されるように、操作画面Ｇ１０の操作アイコン表示欄Ｒ１４には、操作アイコンＡ１１〜Ａ１６が配置されている。
【００３０】
操作画面Ｇ１０において、操作アイコンＡ１１〜Ａ１６のいずれかが操作されると、操作された前記操作アイコンに対応する処理が実行される。例えば、操作アイコンＡ１１が操作されると、表示部６１に前記コピージョブにおける用紙選択機能に関する設定画面が表示される。なお、図４に示される操作画面Ｇ１０では、操作アイコンＡ１１の操作により、又は初期設定により、操作アイコンＡ１１で設定可能な用紙選択機能の設定内容が「自動」に設定された状態が示されている。
【００３１】
表示切替タブＴ１１〜Ｔ１６は、操作アイコン表示欄Ｒ１４に表示される前記操作アイコンの表示の切り替えに用いられる。画像処理装置１０では、前記コピージョブに関する前記操作アイコン各々が表示切替タブＴ１１〜Ｔ１６のいずれか一つ又は複数に対応付けられている。例えば、操作アイコンＡ１２は、表示切替タブＴ１１及び表示切替タブＴ１４に対応付けられている。操作画面Ｇ１０において表示切替タブＴ１２〜Ｔ１６のいずれかが操作されると、操作された表示切替タブに対応付けられた前記操作アイコンが操作アイコン表示欄Ｒ１４に表示される。なお、図４に示される操作アイコンＡ１１〜Ａ１６は、表示切替タブＴ１１に対応付けられた前記操作アイコンである。
【００３２】
図５に、操作画面Ｇ１０において表示切替タブＴ１４が操作された場合に表示部６１に表示される前記操作画面の一例を示す。図５に示される操作画面Ｇ２０は、操作画面Ｇ１０と同様に、メッセージ表示欄Ｒ１１、印刷部数入力欄Ｒ１２、プレビュー表示欄Ｒ１３、操作アイコン表示欄Ｒ１４、プレビュー表示キーＫ１１、及び表示切替タブＴ１１〜Ｔ１６を含む。
【００３３】
図５に示されるように、操作画面Ｇ２０の操作アイコン表示欄Ｒ１４には、表示切替タブＴ１４に対応付けられた操作アイコンＡ１２、操作アイコンＡ１４、操作アイコンＡ１５、及び操作アイコンＡ２１〜Ａ２９が配置されている。また、操作画面Ｇ２０の操作アイコン表示欄Ｒ１４には、表示切替キーＫ１２が表示されている。表示切替キーＫ１２は、表示切替タブＴ１４に対応付けられた前記操作アイコンの表示の切り替えに用いられる。表示切替キーＫ１２は、表示切替タブに対応付けられた前記操作アイコンの数が操作アイコン表示欄Ｒ１４における表示可能数を超えた場合に表示される。操作画面Ｇ２０において表示切替キーＫ１２が操作されると、表示部６１に表示切替タブＴ１４に対応付けられた前記操作アイコンのうち操作画面Ｇ２０に表示されない前記操作アイコンを含む前記操作画面が表示される。
【００３４】
図６に、操作画面Ｇ２０において表示切替キーＫ１２が操作された場合に表示部６１に表示される前記操作画面の一例を示す。図６に示される操作画面Ｇ３０は、操作画面Ｇ１０と同様に、メッセージ表示欄Ｒ１１、印刷部数入力欄Ｒ１２、プレビュー表示欄Ｒ１３、操作アイコン表示欄Ｒ１４、プレビュー表示キーＫ１１、及び表示切替タブＴ１１〜Ｔ１６を含む。
【００３５】
図６に示されるように、操作画面Ｇ３０の操作アイコン表示欄Ｒ１４には、表示切替タブＴ１４に対応付けられた操作アイコンＡ３１〜Ａ３２が配置されている。また、操作画面Ｇ３０の操作アイコン表示欄Ｒ１４には、表示切替キーＫ１３が表示されている。表示切替キーＫ１３が操作されると、表示部６１に表示される画面が操作画面Ｇ３０から操作画面Ｇ２０に切り替わる。
【００３６】
ところで、ユーザーが表示部６１に表示される前記キーボードを用いて画像処理装置１０の機能の設定を行う際に、表示部６１に操作対象となる前記操作アイコンが表示されていないことがある。例えば、ユーザーが前記キーボードを用いて操作アイコンＡ３２（図６参照）の枠消し機能の設定を行いたい場合に、表示部６１に操作画面Ｇ１０（図４参照）が表示されていることがある。ここで、従来の画像処理装置では、ユーザーは、操作対象となる前記操作アイコンを表示部６１に呼び出すために、表示切替タブＴ１１〜Ｔ１６、及び表示切替キーＫ１２〜Ｋ１３などを操作すると共に、呼出キー６３３を操作する必要がある。これに対し、本発明の実施形態に係る画像処理装置１０では、以下に説明するように、表示部６１に表示される前記キーボードを用いた操作を行うユーザーの手間を軽減することが可能である。
【００３７】
具体的に、制御部５の前記ＲＯＭには、前記ＣＰＵに後述の操作画面表示処理（図７のフローチャート参照）を実行させるための表示制御プログラムが予め記憶されている。なお、前記表示制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００３８】
そして、制御部５は、図２に示すように、第１表示処理部５１、処理実行部５２、カウント処理部５３、第２表示処理部５４、及び第３表示処理部５５を含む。具体的に、制御部５は、前記ＣＰＵを用いて前記ＲＯＭに記憶されている前記表示制御プログラムを実行する。これにより、制御部５は、第１表示処理部５１、処理実行部５２、カウント処理部５３、第２表示処理部５４、及び第３表示処理部５５として機能する。ここに、制御部５及び操作表示部６を備える装置が、本発明における表示入力装置の一例である。
【００３９】
第１表示処理部５１は、表示部６１に前記操作アイコンを表示させる。例えば、第１表示処理部５１は、前記操作アイコンが配置された前記操作画面を表示させる。
【００４０】
例えば、第１表示処理部５１は、表示部６１に表示される前記初期画面においてコピー機能を選択するユーザーの操作が行われた場合に、図４に示される前記コピージョブに関する操作アイコンＡ１１〜Ａ１６が配置された操作画面Ｇ１０を表示させる。
【００４１】
また、第１表示処理部５１は、表示部６１に表示される操作画面Ｇ１０において表示切替タブＴ１４が操作された場合に、図５に示される前記コピージョブに関する操作アイコンＡ１２、操作アイコンＡ１４、操作アイコンＡ１５、及び操作アイコンＡ２１〜Ａ２９が配置された操作画面Ｇ２０を表示させる。
【００４２】
また、第１表示処理部５１は、表示部６１に表示される操作画面Ｇ２０において表示切替キーＫ１２が操作された場合に、図６に示される前記コピージョブに関する操作アイコンＡ３１〜Ａ３２が配置された操作画面Ｇ３０を表示させる。ここに、操作アイコンＡ１１〜Ａ１６、操作アイコンＡ２１〜Ａ２９、及び操作アイコンＡ３１〜Ａ３２が、本発明における操作アイコンの一例である。
【００４３】
処理実行部５２は、操作検出部６２により前記操作アイコンへの操作が検出された場合に、操作が検出された前記操作アイコンに対応する処理を実行する。
【００４４】
具体的に、処理実行部５２は、操作検出部６２により検出された前記物体と表示部６１との接触位置が第１表示処理部５１により表示されるいずれかの前記操作アイコンと重なる場合に、前記接触位置と重なる前記操作アイコンに対応する処理を実行する。
【００４５】
例えば、処理実行部５２は、操作検出部６２により前記操作アイコンへの操作が検出された場合に、操作が検出された前記操作アイコンに対応する機能の設定に用いられる設定画面を表示部６１に表示させる。例えば、処理実行部５２は、図４に示される操作画面Ｇ１０において操作アイコンＡ１１への操作が検出された場合に、表示部６１に前記用紙選択機能に関する前記設定画面を表示させる。
【００４６】
なお、処理実行部５２は、操作検出部６２により前記操作アイコンへの操作が検出される毎に、操作が検出された前記操作アイコンに対応する機能の設定を変更する処理を実行してもよい。例えば、処理実行部５２は、図４に示される操作画面Ｇ１０において操作アイコンＡ１１への操作が検出される毎に、前記用紙選択機能に関する設定内容を「自動」、「Ａ４」「Ａ３」の順で切り替える処理を実行することが考えられる。
【００４７】
カウント処理部５３は、前記操作アイコンごとの操作回数をカウントする。
【００４８】
例えば、画像処理装置１０では、前記ＥＥＰＲＯＭに前記操作アイコンごとの累積操作回数のカウントに用いられる記憶領域が設けられている。例えば、カウント処理部５３は、操作検出部６２により前記操作アイコンへの操作が検出された場合に、前記ＥＥＰＲＯＭの前記記憶領域にアクセスして、操作が検出された前記操作アイコンの累積操作回数をカウントアップする。
【００４９】
なお、カウント処理部５３は、前記操作アイコンへの操作に応じて表示部６１に表示される前記設定画面において機能の設定を変更する設定変更操作が行われた場合に、前記ＥＥＰＲＯＭの前記記憶領域にアクセスして、操作が検出された前記操作アイコンの累積操作回数をカウントアップしてもよい。また、前記ＥＥＰＲＯＭの前記記憶領域に記憶される前記操作アイコンごとの累積操作回数は、ユーザー操作に応じて、又は予め定められた期間ごとにリセットされてもよい。
【００５０】
第２表示処理部５４は、予め定められた呼出操作が行われた場合に表示部６１に前記キーボードを表示させる。
【００５１】
例えば、第２表示処理部５４は、前記操作画面の表示中に呼出キー６３３が操作された場合に、表示部６１における予め定められた位置に前記キーボードを表示させる。ここに、呼出キー６３３の操作が、本発明における予め定められた呼出操作の一例である。
【００５２】
なお、第２表示処理部５４は、印刷部数入力欄Ｒ１２などの表示部６１に表示される予め定められた画像への操作が行われた場合に、表示部６１に前記キーボードを表示させてもよい。この場合、表示部６１に表示される予め定められた画像への操作が、本発明における予め定められた呼出操作の他の一例である。
【００５３】
例えば、第２表示処理部５４は、第１表示処理部５１によって表示部６１に表示される前記操作アイコンと重ならない予め定められた位置に前記キーボードを表示させる。
【００５４】
第３表示処理部５５は、第２表示処理部５４により前記キーボードが表示される場合に、前記キーボードの操作を伴う設定操作を開始する際に操作される予め定められた特定アイコンのうち、前記呼出操作が行われたときに第１表示処理部５１によって表示部６１に表示されていない未表示特定アイコンを表示させる。
【００５５】
具体的に、画像処理装置１０では、図５に示される操作アイコンＡ２６、及び図６に示される操作アイコンＡ３２が、前記特定アイコンとして定められている。なお、前記特定アイコンは、前記キーボードの操作を伴う設定操作を開始する際に操作されるアイコンからユーザー操作に応じて任意に設定されるものであってよい。
【００５６】
例えば、第３表示処理部５５は、前記呼出操作が行われたときに第１表示処理部５１によって表示部６１に表示されている前記操作アイコンのうち、前記特定アイコンとは異なる前記操作アイコンに替えて前記未表示特定アイコンを表示させる。具体的に、第３表示処理部５５は、カウント処理部５３によりカウントされる操作回数の少ない順で選択された一又は複数の前記操作アイコンに替えて前記未表示特定アイコンを表示させる。
【００５７】
なお、第３表示処理部５５は、前記未表示特定アイコンを追加で表示させてもよい。また、第３表示処理部５５は、前記操作画面において予め定められた位置に配置された前記特定アイコンとは異なる前記操作アイコンに替えて前記未表示特定アイコンを表示させてもよい。
【００５８】
また、第３表示処理部５５は、予め定められた表示終了操作が行われた場合に、第２表示処理部５４による前記キーボードの表示を終了させると共に表示部６１の表示を前記キーボード及び前記未表示特定アイコンが表示される前の状態に戻す処理を実行する。
【００５９】
［操作画面表示処理］
以下、図７を参照しつつ、画像処理装置１０において制御部５により実行される操作画面表示処理の手順の一例について説明する。ここで、ステップＳ１１、Ｓ１２・・・は、制御部５により実行される処理手順（ステップ）の番号を表している。なお、前記操作画面表示処理は、前記初期画面において画像処理装置１０の機能を選択するユーザーの操作が行われた場合、操作画面Ｇ１０において表示切替タブＴ１２〜Ｔ１６のいずれかが操作された場合、及び操作画面Ｇ２０において表示切替キーＫ１２が操作された場合などに実行される。
【００６０】
なお、以下では、操作画面Ｇ１０に配置される操作アイコンＡ１１〜Ａ１６のうち、カウント処理部５３によりカウントされる操作回数の最も少ないアイコンが操作アイコンＡ１３であり、次に操作回数の少ないアイコンが操作アイコンＡ１６であると仮定して説明を行う。また、操作画面Ｇ２０に配置される操作アイコンＡ１２、操作アイコンＡ１４、操作アイコンＡ１５、操作アイコンＡ２１〜Ａ２９のうち、カウント処理部５３によりカウントされる操作回数の最も少ないアイコンが操作アイコンＡ２２であり、次に操作回数の少ないアイコンが操作アイコンＡ２５であると仮定して説明を行う。
【００６１】
＜ステップＳ１１＞
まず、ステップＳ１１において、制御部５は、表示部６１に前記操作アイコンが配置された前記操作画面を表示させる。ここに、ステップＳ１１の処理が、本発明における第１ステップの一例であって、制御部５の第１表示処理部５１により実行される。
【００６２】
例えば、制御部５は、前記初期画面においてコピー機能を選択するユーザーの操作が行われて前記操作画面表示処理が実行された場合は、表示部６１に図４に示される操作画面Ｇ１０を表示させる。また、制御部５は、操作画面Ｇ１０において表示切替タブＴ１４が操作されて前記操作画面表示処理が実行された場合は、表示部６１に図５に示される操作画面Ｇ２０を表示させる。また、制御部５は、操作画面Ｇ２０において表示切替キーＫ１２が操作されて前記操作画面表示処理が実行された場合は、表示部６１に図６に示される操作画面Ｇ３０を表示させる。
【００６３】
＜ステップＳ１２＞
ステップＳ１２において、制御部５は、操作検出部６２によりステップＳ１１で表示された前記操作アイコンへの操作が検出されたか否かを判断する。具体的に、制御部５は、操作検出部６２により検出された前記物体と表示部６１との接触位置がステップＳ１１で表示されたいずれかの前記操作アイコンと重なる場合に、前記操作アイコンへの操作が検出されたと判断する。
【００６４】
ここで、制御部５は、前記操作アイコンへの操作が検出されたと判断すると（Ｓ１２のＹｅｓ側）、処理をステップＳ１３に移行させる。また、前記操作アイコンへの操作が検出されていなければ（Ｓ１２のＮｏ側）、制御部５は、処理をステップＳ１５に移行させる。
【００６５】
＜ステップＳ１３＞
ステップＳ１３において、制御部５は、ステップＳ１２で操作が検出された前記操作アイコンに対応する処理を実行する。ここで、ステップＳ１３の処理は、制御部５の処理実行部５２により実行される。
【００６６】
例えば、制御部５は、操作検出部６２により前記操作アイコンへの操作が検出された場合に、操作が検出された前記操作アイコンに対応する機能の設定に用いられる前記設定画面を表示部６１に表示させる。
【００６７】
＜ステップＳ１４＞
ステップＳ１４において、制御部５は、ステップＳ１２で操作が検出された前記操作アイコンの操作回数をカウントする。ここで、ステップＳ１４の処理は、制御部５のカウント処理部５３により実行される。
【００６８】
例えば、制御部５は、前記ＥＥＰＲＯＭの前記記憶領域にアクセスして、操作が検出された前記操作アイコンの累積操作回数をカウントアップする。
【００６９】
なお、前記操作画面表示処理において、ステップＳ１４の処理は省略されてもよい。
【００７０】
＜ステップＳ１５＞
ステップＳ１５において、制御部５は、前記呼出操作が行われたか否かを判断する。例えば、制御部５は、呼出キー６３３が操作されたか否かを判断する。
【００７１】
ここで、制御部５は、前記呼出操作が行われたと判断すると（Ｓ１５のＹｅｓ側）、処理をステップＳ１６に移行させる。また、前記呼出操作が行われていなければ（Ｓ１５のＮｏ側）、制御部５は、処理をステップＳ１８に移行させる。
【００７２】
＜ステップＳ１６＞
ステップＳ１６において、制御部５は、ステップＳ１１で表示部６１に表示された前記操作アイコンと重ならない予め定められた位置に前記キーボードを表示させる。ここに、ステップＳ１６の処理が、本発明における第２ステップの一例であって、制御部５の第２表示処理部５４により実行される。
【００７３】
＜ステップＳ１７＞
ステップＳ１７において、制御部５は、前記特定アイコンのうち、ステップＳ１５で前記呼出操作が行われたと判断されたときに表示部６１に表示されていない前記未表示特定アイコンを表示させる。ここに、ステップＳ１７の処理が、本発明における第３ステップの一例であって、制御部５の第３表示処理部５５により実行される。
【００７４】
ここで、制御部５は、前記呼出操作が行われたと判断されたときに表示部６１に表示されている前記操作アイコンのうち、前記特定アイコンとは異なる前記操作アイコンに替えて前記未表示特定アイコンを表示させる。これにより、前記操作画面において前記未表示操作アイコンを追加で配置できない場合であっても、前記未表示特定アイコンを表示させることが可能である。
【００７５】
また、制御部５は、カウント処理部５３によりカウントされる操作回数の少ない順で選択された一又は複数の前記操作アイコンに替えて前記未表示特定アイコンを表示させる。これにより、ユーザーが前記未表示特定アイコンに替えて前記操作画面から排除された前記操作アイコンを前記操作画面に再度呼び出す操作を行う事態の発生が抑制される。
【００７６】
図８に、ステップＳ１１で図４に示される操作画面Ｇ１０が表示された場合に、ステップＳ１７で表示される前記操作画面及び前記キーボードの一例を示す。図８に示される操作画面Ｇ４０は、操作画面Ｇ１０と同様に、メッセージ表示欄Ｒ１１、印刷部数入力欄Ｒ１２、プレビュー表示欄Ｒ１３、操作アイコン表示欄Ｒ１４、プレビュー表示キーＫ１１、及び表示切替タブＴ１１〜Ｔ１６を含む。
【００７７】
図８に示されるように、操作画面Ｇ４０の操作アイコン表示欄Ｒ１４には、操作画面Ｇ１０に配置されていた操作アイコンＡ１１〜Ａ１６のうち、カウント処理部５３によりカウントされる操作回数の少ない順で選択された操作アイコンＡ１３及び操作アイコンＡ１６に替えて、操作画面Ｇ１０に配置されていなかった操作アイコンＡ３２及び操作アイコンＡ２６（前記未表示特定アイコン）が配置されている。また、操作画面Ｇ４０のプレビュー表示欄Ｒ１３、及びプレビュー表示キーＫ１１の上には、キーボードＫ２０が重ねて表示されている。
【００７８】
操作画面Ｇ４０の上に重ねて表示されたキーボードＫ２０は、ユーザーによるスワイプ操作などの操作に応じて操作画面Ｇ４０における表示位置を移動させることが可能である。また、キーボードＫ２０は、図８に示される消去キーＫ２１への操作に応じて操作画面Ｇ４０から消去させることも可能である。なお、キーボードＫ２０は、呼出キー６３３の操作に応じて操作画面Ｇ４０から消去されてもよい。
【００７９】
消去キーＫ２１又は呼出キー６３３が操作されると、制御部５は、前記キーボードの表示を終了させると共に、表示部６１の表示を操作画面Ｇ４０から操作画面Ｇ１０に切り替える処理を実行する。なお、制御部５は、消去キーＫ２１又は呼出キー６３３が操作された場合に、表示部６１の表示を操作画面Ｇ４０に維持したまま、前記キーボードの表示を終了させてもよい。ここに、消去キーＫ２１又は呼出キー６３３の操作が、本発明における表示終了操作の一例である。
【００８０】
図９に、ステップＳ１１で図５に示される操作画面Ｇ２０が表示された場合に、ステップＳ１７で表示される前記操作画面及び前記キーボードの一例を示す。図９に示される操作画面Ｇ５０は、操作画面Ｇ１０と同様に、メッセージ表示欄Ｒ１１、印刷部数入力欄Ｒ１２、プレビュー表示欄Ｒ１３、操作アイコン表示欄Ｒ１４、プレビュー表示キーＫ１１、及び表示切替タブＴ１１〜Ｔ１６を含む。
【００８１】
図９に示されるように、操作画面Ｇ５０の操作アイコン表示欄Ｒ１４には、操作画面Ｇ２０に配置されていた操作アイコンＡ１２、操作アイコンＡ１４、操作アイコンＡ１５、及び操作アイコンＡ２１〜Ａ２９のうち、カウント処理部５３によりカウントされる操作回数の最も少ない操作アイコンＡ２２に替えて、操作画面Ｇ２０に配置されていなかった操作アイコンＡ３２（前記未表示特定アイコン）が配置されている。また、操作画面Ｇ５０のプレビュー表示欄Ｒ１３、及びプレビュー表示キーＫ１１の上には、キーボードＫ２０が重ねて表示されている。
【００８２】
＜ステップＳ１８＞
ステップＳ１８において、制御部５は、ステップＳ１１で表示された前記操作画面におけるユーザーの操作が終了したか否かを判断する。
【００８３】
例えば、制御部５は、前記操作画面において表示切替タブＴ１１〜Ｔ１６の操作などの前記操作アイコンの表示を切り替えるユーザーの操作が行われた場合に、前記操作画面におけるユーザーの操作が終了したと判断する。また、制御部５は、電源キー６３１又はスタートキー６３２が操作された場合に、前記操作画面におけるユーザーの操作が終了したと判断する。
【００８４】
ここで、制御部５は、前記操作画面におけるユーザーの操作が終了したと判断すると（Ｓ１８のＹｅｓ側）、前記操作画面表示処理を終了する。また、前記操作画面におけるユーザーの操作が終了していなければ（Ｓ１８のＮｏ側）、制御部５は、処理をステップＳ１２に移行させる。そして、制御部５は、前記操作画面におけるユーザーの操作が終了したと判断されるまでの間、前記操作アイコンへの操作又は前記呼出操作を待ち受ける。
【００８５】
なお、制御部５は、ステップＳ１８で前記操作アイコンの表示を切り替えるユーザー操作が行われた場合は、その操作に応じて表示部６１に表示される前記操作画面に対応する別の前記操作画面表示処理を実行する。また、制御部５は、ステップＳ１８で電源キー６３１の操作が検出された場合は、前記動作モードを前記省電力モードに切り替えて、操作表示部６への給電を停止させる。また、制御部５は、ステップＳ１８でスタートキー６３２への操作が検出された場合は、前記操作画面及び前記設定画面で設定された内容に従って前記コピージョブなどのジョブを実行する。
【００８６】
このように、前記操作画面表示処理では、表示部６１に前記キーボードが表示される場合に、前記キーボードの操作を伴う設定操作を開始する際に操作される前記特定アイコンのうち、前記呼出操作が行われたときに表示部６１に表示されていない前記未表示特定アイコンが表示される。これにより、表示部６１に表示される前記キーボードを用いた操作を行うユーザーの手間を軽減することが可能である。
【符号の説明】
【００８７】
１    ＡＤＦ
２    画像読取部
３    画像形成部
４    給紙部
５    制御部
５１  第１表示処理部
５２  処理実行部
５３  カウント処理部
５４  第２表示処理部
５５  第３表示処理部
６    操作表示部
６１  表示部
６２  操作検出部
６３  ハードキー
６３３  呼出キー
１０  画像処理装置
Ｇ１０〜Ｇ５０  操作画面
Ａ１１〜Ａ３２  操作アイコン
Ｋ２０  キーボード
【図１】
2017102750.tif 000003
【図２】
2017102750.tif 000004
【図３】
2017102750.tif 000005
【図４】
2017102750.tif 000006
【図５】
2017102750.tif 000007
【図６】
2017102750.tif 000008
【図７】
2017102750.tif 000009
【図８】
2017102750.tif 000010
【図９】
2017102750.tif 000011